(57)【要約】【課題】コンパクトで、家庭内での使用ははもちろん、屋外にも容易に持ち運んで使用することができ、しかも、構造が簡単で、安価な空き缶潰し器を提供する【解決手段】側部１８を押し潰した状態の空き缶１６の上部２０または底部２２を横置きに載置可能なベース部１２と、一端側が上方に付勢された状態で他端側がベース部１２上に回動可能に取り付けられ、ベース部１２上の空き缶１６の上部２０または底部２２を覆って他端側を片手で下方に回動させることで空き缶１６の上部２０または底部２２を押し潰す押し潰しレバー１４とを有し、空き缶１６の上部２０または底部２２の一方を押し潰した後、他方に入れ替えて他方を押し潰し可能にされている。【選択図】図２
2011245511.tif 000002
【特許請求の範囲】
【請求項１】
側部を押し潰した状態の空き缶の上部または底部を横置きに載置可能なベース部と、
一端側が上方に付勢された状態で他端側が前記ベース部上に回動可能に取り付けられ、前記ベース部上の空き缶の上部または底部を覆って他端側を片手で下方に回動させることで前記空き缶の上部または底部を押し潰す押し潰しレバーとを有し、
前記空き缶の上部または底部の一方を押し潰した後、他方に入れ替えて他方を押し潰し可能にされていることを特徴とする空き缶潰し器。
【請求項２】
請求項1において、
前記ベース部には、壁掛け収納用のフック孔が設けられていることを特徴とする空き缶潰し器。
【請求項３】
請求項１または２において、
前記押し潰しレバーには、下面側に空き缶滑り止め手段が設けられることを特徴とする空き缶潰し器。
【請求項４】
請求項１〜３のいずれかにおいて、
前記前記ベース部には、前記空き缶の上部または底部を位置決めする位置決め手段が設けられることを特徴とする空き缶潰し器。
【請求項５】
請求項１〜４のいずれかにおいて、
前記押し潰しレバーを前記ベース部側に回動させた状態で保持する折りたたみ保持手段を有することを特徴とする空き缶潰し器。
【発明の詳細な説明】
【技術分野】
【０００１】
本発明は、空き缶潰し器に関し、特に、空き缶を手の力で押し潰す空き缶潰し器に関する。
【背景技術】
【０００２】
一般に、空き缶のスペースを小さくし、リサイクルの効率を高めるものとして空き缶潰し器が知られている。
このような空き缶潰し器としては、手動式のもの、足踏み式のもの、電動式のもの等が知られているが、比較的安価に手に入り、家庭で手軽に使えるものとして手動式や足踏み式のものが出回っている。
【０００３】
特に、シンプルな構成で、携帯性に優れたものとして、特許文献1に示すような手動式の空き缶潰し具が提案されている。
【０００４】
この空き缶潰し具は、空き缶の底部にあてがわれる底板と、空き缶の上部にあてがわれる天板と、前記底板と天板とに屈曲自在に接続される対抗する二つの側板とを有し、これらの側板は折れ曲がり自在で、内面側に空き缶の側面に当接してねじり変形誘発用凹部を形成する凹部形成体が設けられるようになっている。
【先行技術文献】
【特許文献】
【０００５】
【特許文献１】特開２００２−３０７１９７号公報
【発明の概要】
【発明が解決しようとする課題】
【０００６】
このような空き缶潰し具にあっては、空き缶を立てた状態で潰すために底板、天板及び側板が必要となり、大型になってしまい、家庭内で使用するには用が足りるが、キャンプやバーベキューなど屋外に持ち運ぶには不便である。
また、側板を折れ曲がり自在にしたり、側板に凹部形成体を設けたりと複雑な構造が必要となり、それほど安価なものとは言い難い。
【０００７】
本発明の目的は、コンパクトで、家庭内での使用ははもちろん、屋外にも容易に持ち運んで使用することができ、しかも、構造が簡単で、安価な空き缶潰し器を提供することにある。
【課題を解決するための手段】
【０００８】
前記目的を達成するため、本発明の空き缶潰し器は、側部を押し潰した状態の空き缶の上部または底部を横置きに載置可能なベース部と、
一端側が上方に付勢された状態で他端側が前記ベース部上に回動可能に取り付けられ、前記ベース部上の空き缶の上部または底部を覆って他端側を片手で下方に回動させることで前記空き缶の上部または底部を押し潰す押し潰しレバーとを有し、
前記空き缶の上部または底部の一方を押し潰した後、他方に入れ替えて他方を押し潰し可能にされていることを特徴とする。
本発明によれば、ベース部上に側部を押し潰した状態の空き缶の上部または底部を横置きに載置し、押し潰しレバーにて押し潰した後、他方に入れ替えて押し潰すようにしているため、押し潰すためのスペースは空き缶の上部または底部の一方のみのスペースで足り、しかも、高さも空き缶の底部または上部の径に相当する高さがあれば足りることとなり、非常にコンパクトなものとすることができ、家庭内での使用ははもちろん、キャンプやバーベキューなど屋外にも容易に持ち運んで使用することができる。
また、構造的にも基本的にベース部と押し潰しレバーという簡単な構成となっているため、安価なものとすることができる。
【０００９】
本発明においては、前記ベース部には、壁掛け収納用のフック孔が設けられるようにすることができる。
【００１０】
このような構成とすることにより、不使用時には、フック孔を用いて壁掛け収納をすることができ、不使用時に邪魔になったり、収納スペースに困るようなことがない。
【００１１】
本発明においては、前記押し潰しレバーには、下面側に空き缶滑り止め手段が設けられるようにすることができる。
【００１２】
このような構成とすることにより、押し潰しレバーを押し下げて空き缶を押し潰す際に空き缶滑り止め手段が押し潰しレバーと空き缶の滑りを防止することができ、確実な押し潰しを可能にすることができる。
【００１３】
本発明においては、前記前記ベース部には、前記空き缶の上部または底部を位置決めする位置決め手段が設けられるようにすることができる。
【００１４】
このような構成とすることにより、押し潰しレバーを押し下げて空き缶を押し潰す際に位置決め手段がベース部と空き缶の滑りを防止することができ、確実な押し潰しを可能にすることができる。
【００１５】
本発明においては、前記押し潰しレバーを前記ベース部側に回動させた状態で保持する折りたたみ保持手段を有するものとすることができる。
【００１６】
このような構成とすることにより、折りたたみ保持手段によって押し潰しレバーをベース部側に回動させた状態で保持することで、よりコンパクトな状態にすることができ、持ち運び、収納により便利なものとすることができる。
【図面の簡単な説明】
【００１７】
【図１】本発明の一実施の形態にかかる空き缶潰し器の斜視図である。
【図２】図1の矢視II方向からみた空き缶潰し器の側面図である。
【図３】図1の矢視III方向からみた空き缶潰し器の側面図である。
【図４】図１〜図３の空き缶潰し器の平面図である。
【発明を実施するための形態】
【００１８】
以下、本発明の実施の形態について、図面を参照して説明する。
【００１９】
図１〜図４は、本発明の一実施の形態にかかる空き缶潰し器を示す図である。
【００２０】
この空き缶潰し器１０は、例えば鉄板を加工して形成されるもので、図１〜図４に示すように、ベース部１２と、押し潰しレバー１４とを有している。
ベース部１２は、図２に示すように、空き缶１６を載置するもので、具体的には、側部１８を押し潰した状態の空き缶１６の上部２０または底部２２の一方を横置きに載置可能な大きさとされている。
【００２１】
このベース部１２の形状は、図１及び図４に示すように、ほぼ半円形状で、両角部を結ぶ一辺が湾曲部として形成された状態となっている。
【００２２】
また、ベース部１２の両角部付近には、押し潰しレバー１４を取り付けるための支持ブラケット２４、２６が取り付けられている。
【００２３】
これら支持ブラケット２４、２６は、コ字状のもので、開口側を上方に向けた状態で平行に取り付けられている。
【００２４】
また、各支持ブラケット２４、２６立ち上がり両片には、押し潰しレバー１４の回転中心となる回転孔２８と、回転時のガイドとなる案内溝３０が形成されている。
【００２５】
押し潰しレバー１４は、図１及び図２に示すように、一端側が上方に付勢された状態で他端側がベース部１２上に回動可能に取り付けられるようになっている。
【００２６】
具体的には、押し潰しレバー１４は、図４に示すように、ベース部１２の湾曲外形に沿った湾曲辺を有し、この湾曲辺の両端部から突出する取付部３２、３４を有する湾曲コ字状のものとされている。
【００２７】
取付部３２、３４は、支持ブラケット２４、２６を跨ぐ一対の取付片３６、３８を有し、これら取付片３６、３８の回転孔２８及び案内溝３０対応位置に、回転孔２８及び案内溝３０を貫通して回転軸４０及び案内軸４２が取り付けられ、これら回転軸４０及び案内軸４２により押し潰しレバー１４が取付部３２、３４側を中心に上下方向に回動可能となっている。
【００２８】
また、回転軸４０には、図２に示すように、付勢手段としてスプリング４４が取り付けられ、これによって押し潰しレバー１４の一端側（取付部３２、３４と反対側）が上方に付勢されるようになっている。
【００２９】
これによって、押し潰しレバー１４は、図２に示すように、ベース部１２上の空き缶１６の上部２０または底部２２を覆って他端側を片手で下方に回動させることで空き缶１６の上部２０または底部２２を押し潰し可能とされている。
【００３０】
そして、側部１８の潰された空き缶１６の上部２０または底部２２の一方を押し潰した後、まだ押し潰していない他方の底部２２または上部２０に入れ替えて押し潰すことで、空き缶１６全体の押し潰しが可能とされている。
【００３１】
このように、ベース部１２上に側部１８を押し潰した状態の空き缶１６の上部２０または底部２２を横置きに載置し、押し潰しレバー１４にて押し潰した後、他方に入れ替えて押し潰すようにしているため、押し潰すためのスペースは空き缶１６の上部２０または底部２２の一方のみのスペースで足り、しかも、高さも空き缶１６の底部２２または上部２０の径に相当する高さがあれば足りることとなり、非常にコンパクトなものとすることができ、家庭内での使用ははもちろん、キャンプやバーベキューなど屋外にも容易に持ち運んで使用することが可能となる。
【００３２】
従って、屋外でキャンプやバーベキューなどを行った際に生じた空き缶をゴミとして現地に捨てることなく、潰して持ち帰ることで、環境保全を推進することができることとなる。
【００３３】
また、構造的にも基本的にベース部１２と押し潰しレバー１４という簡単な構成となっているため、安価なものとすることが可能である。
【００３４】
また、この実施の形態においては、図１及び図４に示すように、ベース部１２に壁掛け収納用のフック孔４６を設け、不使用時には、フック孔４６を用いて壁掛け収納をすることができ、不使用時に邪魔になったり、収納スペースに困るようなことがないようにしている。
【００３５】
さらに、このフック孔４６は、空き缶１６の上部２０または底部２２の下側を位置決めする位置決め手段兼用とされており、これによって押し潰しレバー１４を押し下げて空き缶１６を押し潰す際に位置決め手段としてのフック孔４６がベース部１２と空き缶１６の位置決めをして、確実な押し潰しを可能にしている。
【００３６】
また、この実施の形態では、図１及び図４に示すように、押し潰しレバー１４に貫通孔４８を設け、この貫通孔４８の周囲に下面側に突出する空き缶滑り止め手段としてリブ５０を設け、押し潰しレバー１４を押し下げて空き缶１６を押し潰す際に空き缶滑り止め手段としてのリブ５０が押し潰しレバー１４と空き缶１６の滑りを防止することができ、確実な押し潰しを可能にすることができる。
【００３７】
さらに、この実施の形態においては、図１及び図３に示すように、押し潰しレバー１４をベース部１２側に回動させた状態で保持する折りたたみ保持手段５２を有するものとしている。
【００３８】
この折りたたみ保持手段５２は、押し潰しレバー１４の一方の取付部３２の取付片３６に設けた案内軸４２をスライド可能とし、その一端側に拡径部５４を設け、ベース部１２の対応する支持ブラケット２４の一片に設けた案内溝３０の下端に案内軸４２の拡径部５４を受け入れる拡径孔５６を形成し、押し潰しレバー１４をベース部１２側に回動させた状態で案内軸４２をスライドさせて拡径部５４を拡径孔５６に係合させることで折りたたみ状態を保持しうるようにしている。
【００３９】
また、折りたたみ状態から案内軸４２を逆にスライドさせて拡径部５４と拡径孔５６との係合を解除させることで折りたたみ状態を解除しうるようにしている。
【００４０】
このように、折りたたみ保持手段５２によって押し潰しレバー１４をベース部１２側に回動させた状態で保持することで、よりコンパクトな状態にすることができ、持ち運び、収納により便利なものとすることができることとなる。
【産業上の利用可能性】
【００４１】
本発明は、前記実施の形態に限定されるものではなく、本発明の要旨の範囲内において、種々の形態に変形可能である。
【００４２】
例えば、前記実施の形態においては、押し潰しレバーの付勢手段としてスプリングを用いたが、この例に限らず、他の弾性部材等の付勢手段を用いることが可能である。
【００４３】
また、ベース部の空き缶の位置決め手段として、フック孔を兼用にしているが、フック孔と別に位置決め孔を設けてもよく、あるいは、位置決め可能な他の手段を用いることが可能である。
【００４４】
さらに、押し潰しレバーの空き缶滑り止め手段として貫通孔の周囲に形成したリブを用いているが、貫通孔を形成せずに、押し潰しレバーの下面に滑り止め用の凹凸を形成したり、滑り止め材を貼付することも可能である。
【００４５】
そしてさらに、押し潰しレバーの折りたたみ保持手段として案内軸の拡径部と案内溝の拡径溝との係合を用いたが、案内軸や案内溝を用いずに押し潰しレバーを回動可能にし、折りたたみ保持手段は折りたたみ状態で押し潰しレバーをベース部に直接フックさせるようにすることも可能である。
【符号の説明】
【００４６】
１０  空き缶潰し器
１２  ベース部
１４  押し潰しレバー
１６  空き缶
１８  側部
２０  上部
２２  底部
４６  フック孔
５０  リブ
５２  折りたたみ保持手段
【図１】
2011245511.tif 000003
【図２】
2011245511.tif 000004
【図３】
2011245511.tif 000005
【図４】
2011245511.tif 000006